(57)【要約】【課題】離れていても操作がしやすく、また既存のリモコンをそのまま使用できる安価な座標指示装置を有するテレビ受像機を提供する。  【解決手段】制御部２０５は、データ放送の閲覧など、ポインタ１０４が必要なモードだと判断したとき（ｓ７１；Ｙｅｓ）、画面上の初期位置にポインタ１０４を表示するよう表示部２０８に指示する（ｓ７２）。画面上の初期位置にポインタを表示したのちに、ポインタボタン３０２ｂの信号光を受光部１０３が受信しているなら（ｓ７３；Ｙｅｓ）、リモコンの移動距離と方向を算出するため、一定時間の間、記憶部２０６に、輝点の移動距離と方向を記録する（ｓ７４）。制御部２０５は、移動距離と方向を算出しモニタ１０１上のポインタ１０４を移動させる（ｓ７５）。ポインタ１０４が必要なモードだと判断されない時（ｓ７６；Ｎｏ）、画面上のポインタ１０４を非表示にして（ｓ７７）、動作を終了する。【選択図】図７
2008010984.tif 000002
【特許請求の範囲】
【請求項１】
画像を表示する表示部と
前記表示部の近傍に配置され、リモコン信号光を受光する受光部と、
前記表示部にポインタを表示し、前記受光部が受光する前記リモコン信号光の移動方向と移動量に応じて前記ポインタを前記表示部上で移動させる制御部を備えたことを特徴とするテレビ受像機。
【請求項２】
前記受光部は、複数の撮像素子をマトリクス状に配置して前記リモコン信号光を受光するＣＣＤカメラによって構成されることを特徴とする請求項１に記載のテレビ受像機。
【請求項３】
画像を表示する表示部と、
前記表示部の近傍に配置され、第１のリモコン信号光を受光する第１の受光部と、
前記表示部の近傍に配置され、第２及び第３のリモコン信号光を受光する第２の受光部と、
前記第２の受光部が前記第２のリモコン信号光を受光したとき、前記表示部にポインタを表示し、前記第１の受光部が前記第１のリモコン信号光を受光したとき、前記第１のリモコン信号光の移動方向と移動量に応じて前記ポインタを前記表示部上で移動させ、前記第２の受光部が前記第３のリモコン信号光を受光したとき、前記ポインタによって指示された前記表示部上のアイコンを選択する制御部を備えたことを特徴とするテレビ受像機。
【請求項４】
前記制御部は、前記第１の受光部が受光する前記第３のリモコン信号光の移動方向と移動量に応じて前記ポインタと前記アイコンを移動させることを特徴とした請求項３に記載のテレビ受像機。
【請求項５】
前記第１の受光部は、複数の撮像素子をマトリクス状に配置して前記リモコン信号光を受光するＣＣＤカメラによって構成されることを特徴とする請求項３に記載のテレビ受像機。
【請求項６】
前記制御部は、前記第１の受光部が受光する前記第１のリモコン信号光の上下方向あるいは水平方向の移動によって表示画面を上下方向あるいは水平方向にスクロールすることを特徴とする請求項３に記載のテレビ受像機。
【発明の詳細な説明】
【技術分野】
【０００１】
本発明は、座標指示装置を有するテレビ受像機に関する。
【背景技術】
【０００２】
従来の技術として、テレビ受像機に設置した発光部から出射される赤外光を、ユーザが手に持ったリモコンで反射させ、反射した赤外光をテレビ受像機に設置された受光部で受光することで、モニタ上に表示されたポインタをリモコンの移動量に応じて移動させるテレビ受像機がある（例えば、特許文献１）。
【０００３】
このテレビ受像機は、赤外光発光部及び受光部を有し、前面に再帰性反射体を取り付けたリモコンを用いることによって、テレビ受像機側にある発光部からの赤外光を反射させ座標指示を可能にしている。リモコン側に多くのボタンを必要とせず、ユーザは離れたところから目的の操作を実行することが可能になる。
【特許文献１】特開平１０−１７７４５１号公報
【発明の開示】
【発明が解決しようとする課題】
【０００４】
しかし、従来のテレビ受像機では、数ｍ離れた場所からリモコン操作をすることが多いため、テレビ受像機側にある発光部からの赤外光を、受光部に正確に反射させることは困難であり、またわずかな移動量でも、テレビ受像機との距離が離れていることから、敏感にポインタが反応してしまうという欠点があった。またリモコンに再帰性反射体を取り付けるので、既存のリモコンが使えずコストアップにつながるという欠点があった。
【０００５】
従って本発明の目的は、離れていても操作がしやすく、また既存のリモコンをそのまま使用できる安価な座標指示装置を有するテレビ受像機を提供することにある。
【課題を解決するための手段】
【０００６】
本発明の実施の形態によると、画像を表示する表示部と前記表示部の近傍に配置され、リモコン信号光を受光する受光部と、前記表示部にポインタを表示し、前記受光部が受光する前記リモコン信号光の移動方向と移動量に応じて前記ポインタを前記表示部上で移動させる制御部を備えたことを特徴とするテレビ受像機が提供される。
【０００７】
この構成によれば、既存のリモコンを流用して、表示部上にポインタを表示させることが可能になる。
【０００８】
本発明の実施の形態によると、画像を表示する表示部と、前記表示部の近傍に配置され、第１のリモコン信号光を受光する第１の受光部と、前記表示部の近傍に配置され、第２及び第３のリモコン信号光を受光する第２の受光部と、前記第２の受光部が前記第２のリモコン信号光を受光したとき、前記表示部にポインタを表示し、前記第１の受光部が前記第１のリモコン信号光を受光したとき、前記第１のリモコン信号光の移動方向と移動量に応じて前記ポインタを前記表示部上で移動させ、前記第２の受光部が前記第３のリモコン信号光を受光したとき、前記ポインタによって指示された前記表示部上のアイコンを選択する制御部を備えたことを特徴とするテレビ受像機が提供される。
【０００９】
この構成によれば、表示部上の選択可能なアイコンをポインタで選択し、アイコンを移動させることが可能になる。
【発明の効果】
【００１０】
本発明の実施の形態によれば、既存のリモコンを使って安価な座標指示装置を有するテレビ受像機を提供することができる。
【発明を実施するための最良の形態】
【００１１】
以下に、本発明のテレビ受像機の実施の形態を図面を参考にして詳細に説明する。
【００１２】
[第１の実施の形態]
（テレビ受像機の構成）
図１は、本発明の第１の実施の形態に関するテレビ受像機の使用状態を表す構成概略図である。
【００１３】
テレビ受像機１０は、内部に音声出力部等の電子部品を有する本体１００と、文字や画像等を表示するモニタ１０１と、リモコン２０から送信された信号光を受光するＣＣＤカメラ１０２と、リモコン２０からの信号光を受光する受光部１０３を有する。
【００１４】
モニタ１０１は、ユーザが自由に移動できるポインタ１０４と、ポインタ１０４によって選択可能なアイコン１０５等で構成される。
【００１５】
図中のｘ及びｙは、リモコン２０の移動距離を水平ｘ軸方向と垂直ｙ軸方向に分解して表している。
【００１６】
図２は、本発明の第１の実施の形態に関するテレビ受像機の構成概略図である。
【００１７】
テレビ受像機１０は、テレビ放送の電波を受信するアンテナ２０１と、アンテナ２０１で受信した電波信号や、有線放送の信号を受け取る受信部２０２と、入力される信号を統括的に処理する信号処理部２０３と、チャンネルの選択等を指示できるボタン入力部２０４と、リモコン信号光を受光するＣＣＤカメラ１０２と、リモコン信号光を受光する受光部１０３と、ボタン入力部２０４や受光部１０３などからの信号に従って各部に命令を送信する制御部２０５と、画像やテレビ受像機の初期設定等を記憶する記憶部２０６と、受信した信号を音声と画像に変換する映像音声処理部２０７と、文字や画像等を表示するモニタ１０１と、音声を出力する音声出力部２０９を有する。
【００１８】
（リモコンの構成）
図３は、本発明の第１の実施の形態に関するリモコンの概略図である。
【００１９】
リモコン２０は、内部に、押し下げられたボタンの指示内容を処理する制御部等を有する本体３００と、各種操作が可能な入力ボタン群３０２と、押し下げられた各種ボタンに対応したリモコン信号光を送信する送信部３０１とを有する。
【００２０】
入力ボタン群３０２は、テレビの基本操作等に使われる基本操作ボタン３０２ａと、表示装置にポインタを表示させるポインタボタン３０２ｂと、アイコンのドラッグを可能にするドラッグボタン３０２ｃとを有する。
【００２１】
図４は、本発明の第１の実施の形態に関するリモコンの構成概略図である。
【００２２】
リモコン２０の本体３００は、入力ボタン群３０２の操作によって操作信号を出力するリモコンボタン入力部４０１と、リモコンボタン入力部４０１から出力された操作信号を処理するリモコン制御部４０２と、リモコン信号光を送信する発光部４０３とがある。
【００２３】
（ソフトウェアの構成）
図５は、本発明の第１の実施の形態に関するテレビ受像機のソフトウェア構成を示す概略図である。
【００２４】
ソフトウェア３０は、アプリケーション群５０００と、オペレーティングシステム５０１とドライバ群５００１とからなり、各ドライバ５０２〜５０９に対応したハードウェアとしてのデバイス群４０００が接続されている。ソフトウェア３０は、記憶部２０６（図２）に保存されており、制御部２０５（図２）により処理され動作する。
【００２５】
アプリケーション群５０００は、テレビ受像機の制御をするモード制御５００Ａと、各種メニュー項目を処理するメニュー処理５００Ｂと、ポインタ１０４の表示や移動の等の処理をするポインタ処理５００Ｃとを有する。
【００２６】
オペレーティングシステム５０１は、アプリケーション群５０００とドライバ群５００１を統括して管理する。
【００２７】
ドライバ群５００１は、受信部２０２を管理する受信ドライバ５０２と、信号処理部２０３を管理する画像処理ドライバ５０３と、ボタン入力部２０４を管理する入力ドライバ５０４と、ＣＣＤカメラ１０２を管理するＣＣＤドライバ５０５と、受光部１０３を管理する受光ドライバ５０６と、記憶部２０６を管理するメディアドライバ５０７と、映像音声処理部２０７を管理するコーデックドライバ５０８と、表示部２０８と音声出力部２０９を管理する出力ドライバ５０９とを有する。デバイス群４０００は、図２に示した受信部２０２、信号処理部２０３等を含む。
【００２８】
（動作）
以下に、本発明の第１の実施の形態におけるテレビ受像機の動作を図１から図９を参照にしつつ説明する。
【００２９】
図６は、本発明の第１の実施の形態に関するＣＣＤカメラ１０２上でのリモコン信号光の輝点の軌跡とモニタ上のポインタとの関係であり、ユーザが、リモコン２０を使って、画面上の希望する位置に、ポインタ１０４を移動させるときの、ＣＣＤカメラ１０２上のリモコン信号光の移動量とモニタ１０１上のポインタ１０４の移動量との関係を示す。
【００３０】
ユーザが、図１において、モニタ１０１上のポインタ１０４を、アイコン１０５上に重ねようとして移動させたとする。最初にポインタ１０４があった始点をＡとし、目的のアイコン上のポインタ１０４の到達点をＢとすると、ｘとｙは、距離ＡＢの水平ｘ軸方向と垂直ｙ軸方向の成分になる。
【００３１】
図６（ａ）および（ｂ）において、ＣＣＤカメラ１０２上のリモコン信号光の始点をＡ’とし、到達点をＢ’とする。同様にモニタ１０１上に表示されるポインタ１０４の始点をＡ’’、到達点をＢ’’とする。リモコン２０から発せられたリモコン信号光は、ＣＣＤカメラ１０２上では、水平方向の成分が左右逆になる。これは、鏡にむかって手に持ったライトを右から左に振ると、鏡上では左から右に振っているように見えるからである。また、リモコン２０の移動量とＣＣＤカメラ１０２上のリモコン信号光の移動量は、比例する。さらに、モニタ１０１とユーザまでの距離をｄとすると、距離が近づくにつれ、ポインタ１０４を同じだけ移動させようとすると、リモコン２０の移動量が大きくなることから、リモコン２０の移動量とＣＣＤカメラ１０２上のリモコン信号光の移動量は、距離ｄに反比例する。そのことから、比例定数をａとすると、水平方向は-ａｘ／ｄ、垂直方向はａｙ／ｄとなる。また、ＣＣＤカメラ１０２上のリモコン信号光の輝点を、モニタ１０１上に対応させると比例することから、比例定数ｂを用いて、水平方向は-ｂ（-ａｘ／ｄ）よってｂ（ａｘ／ｄ）となり、垂直方向はｂ（ａｙ／ｄ）となる。
【００３２】
図７は、本発明の第１の実施の形態に関するポインタ操作のフローチャートである。
【００３３】
ユーザが、画面上の希望する位置に、リモコン２０を使ってポインタ１０４を移動させる動作に関する。
【００３４】
制御部２０５は、データ放送の閲覧など、ポインタ１０４を必要とするモードだと判断したとき（ｓ７１；Ｙｅｓ）、モニタ１０１上の初期位置にポインタ１０４を表示するよう表示部２０８に指示する（ｓ７２）。
【００３５】
ここで、ステップｓ７１において、ポインタ１０４を必要とするモードでないとき（ｓ７１；Ｎｏ）、動作を終了する。
【００３６】
モニタ１０１上の初期位置にポインタ１０４を表示したのちに、ポインタボタン３０２ｂの信号光を受光部１０３が受信しているなら（ｓ７３；Ｙｅｓ）、リモコン２０の移動距離と方向を算出するため、一定時間の間、記憶部２０６に輝点の移動距離と方向を記録する（ｓ７４）。制御部２０５は、移動距離と方向を算出しモニタ１０１上のポインタ１０４を移動させる（ｓ７５）。
【００３７】
ここで、ステップｓ７３において、モニタ１０１上の初期位置にポインタ１０４を表示した後に、ポインタボタン３０２ｂのリモコン信号光が確認されなかった時（ｓ７３；Ｎｏ）、制御部２０５は、ポインタ１０４が必要なモードかどうか判断し、ポインタ１０４を必要としないなら（ｓ７６；Ｎｏ）画面上のポインタ１０４を非表示にして（ｓ７７）、動作を終了する。
【００３８】
ここで、ステップｓ７６において、制御部２０５が、データ放送の閲覧など、ポインタ１０４が必要なモードだと判断したとき（ｓ７６；Ｙｅｓ）、ｓ７３に戻り動作を続ける。
【００３９】
図８は、本発明の第１の実施の形態に関するドラッグ操作のフローチャートであり、ユーザが、モニタ１０１上の希望する位置にある、移動可能なアイコン１０５を、リモコン２０を使ってポインタ１０４をアイコン１０５上に重ね、同時に移動させる動作を説明する。
【００４０】
制御部２０５は、データ放送の閲覧など、ポインタ１０４を必要とするモードだと判断したとき（ｓ８１；Ｙｅｓ）。モニタ１０１上の初期位置にポインタ１０４を表示するようモニタ１０１に指示する（ｓ８２）。
【００４１】
ここで、ステップｓ８１において、データ放送の閲覧など、ポインタ１０４を必要とするモードでないとき、動作を終了する（ｓ８１；Ｎｏ）。
【００４２】
ポインタを初期表示（ｓ８２）したのちに、ポインタボタン３０２ｂの信号光を受光部１０３が受信しているなら（ｓ８３；Ｙｅｓ）、リモコン２０の移動距離と方向を算出するため、一定時間の間、記憶部２０６に、輝点の移動距離と方向を記録する（ｓ８４）。制御部２０５は、移動距離と方向を算出しモニタ１０１上のポインタ１０４を移動させる（ｓ８５）。
【００４３】
ここで、ステップｓ８３において、ポインタボタン３０２ｂの信号光ではなくドラッグボタン３０２ｃの信号光を、受光部１０３が受信したとき（ｓ８６；Ｙｅｓ）、制御部２０５は、ポインタ１０４の下に選択し、移動可能なアイコン１０５が存在するか否か確認をし、存在するとき（ｓ８７；Ｙｅｓ）、リモコンの移動距離と方向を算出するため、一定時間の間、記憶部２０６に、輝点の移動距離と方向を記録する（ｓ８８）。制御部２０５は、移動方向と距離を算出し、モニタ１０１上のポインタ１０４とその下にあったアイコン１０５とを、一緒に移動させる（ｓ８９）。
【００４４】
ここで、ステップｓ８６において、ドラッグボタン３０２ｃの信号光を、受光部１０３が受信しないとき（ｓ８６；Ｎｏ）、制御部２０５は、データ放送の閲覧など、ポインタ１０４を必要とするモードだと判断したときステップｓ８３へ進み（ｓ９０；Ｙｅｓ）、必要とするモードでないなら（ｓ９０；Ｎｏ）、モニタ１０１上のポインタ１０４を非表示にして（ｓ９１）、動作を終了する。
【００４５】
ここで、ステップｓ８７において、ポインタ１０４の下にアイコン１０５がなければ（ｓ８７；Ｎｏ）、ステップｓ８４に戻って動作を続ける。
【００４６】
（第１の実施の形態の効果）
上記した実施の形態によると、特別なリモコンを使うことなく、既存のリモコンを流用することで、安価な座標指示装置を有するテレビ受像機を提供することができる。
【００４７】
[第２の実施の形態]
（表示画面の構成）
図９は、本発明の第２の実施の形態における、モニタ１０１の概略構成図である。なお、以下の説明において、第１の実施の形態と同一の構成および機能を有する部分については共通の符号を付している。
【００４８】
モニタ１０１は、インターネットブラウザ等のアプリケーション画面９０２と、画面右にアプリケーション画面９０２を上下にスクロールすることができる上下スクロールバー９０３と、画面下にアプリケーション画面９０２を左右にスクロールできる左右スクロールバー９０４と、後述するスクロールポインタ９０１と、ポインタ１０４を有する。
【００４９】
（動作）
以下に、本発明の第２の実施の形態に関する、ポインタの動作を、図９、図１０を参照しつつ説明する。
【００５０】
図１０は、本発明の第２の実施の形態のポインタ１０４のスクロール動作に関するフローチャートである。
【００５１】
制御部２０５は、データ放送の閲覧など、ポインタ１０４を必要とするモードだと判断したとき（ｓ１００；Ｙｅｓ）。モニタ１０１上の初期位置にポインタ１０４を表示するようモニタ１０１に指示する（ｓ１０１）。
【００５２】
ここで、ステップｓ１００において、ポインタ１０４を必要とするモードでないとき動作を終了する（１００；Ｎｏ）。
【００５３】
モニタ１０１上の初期位置にポインタ１０４を表示したのちに、ポインタボタン３０２ｂの信号光を受光部１０３が受信しているなら（ｓ１０２；Ｙｅｓ）、リモコン信号光が、最初にＣＣＤカメラ１０２に到達した輝点位置を基準点として記憶部２０６が記憶し、基準点に固定したスクロールポインタ９０１と、ポインタ１０４を重ねて表示する（ｓ１０３）。たとえば、重なった状態から、スクロールポインタ９０１より上方向に、ポインタ１０４を持っていけば、アプリケーション画面９０２が上方向にスクロールする（ｓ１０４）。
【００５４】
ここで、ステップｓ１０２において、受光部１０３で、ポインタボタン３０２ｂの信号光が受光されないなら（ｓ１０２；Ｎｏ）、ポインタ１０４を必要とするモードか否かを確認して、ポインタ１０４を必要とするモード（ｓ１０８；Ｙｅｓ）ならばステップｓ１０２に戻って動作をつづけ、必要とするモードでないなら（ｓ１０８；Ｎｏ）モニタ１０１上のポインタを非表示にして（ｓ１０９）、動作を終了する。
【００５５】
スクロールポインタ９０１上に、ポインタ１０４が戻って来たとき（ｓ１０５；Ｙｅｓ）、画面のスクロールをやめ（ｓ１０６）、ポインタ１０４を必要とするモードか否かを確認し、ポインタ１０４を必要とするモードであるなら（ｓ１０８；Ｙｅｓ）、ステップｓ１０２に戻って動作を続ける。
【００５６】
ここで、ステップｓ１０５において、ポインタボタン３０２ｂの信号光を受けてないならば（ｓ１０５；Ｎｏ）、スクロールポインタ９０１上に、ポインタ１０４が重なるまでは、画面をスクロールし続ける（ｓ１０７）。
【００５７】
（第２の実施の形態の効果）
上記した、実施の形態によると、既存のリモコンをもちいて、安価に画面をスクロール可能な座標指示装置を有するテレビ受像機を提供することができる。
【図面の簡単な説明】
【００５８】
【図１】本発明の第１の実施の形態に関するテレビ受像機の使用状態を表す構成概略図である。
【図２】本発明の第１の実施の形態に関するテレビ受像機の構成概略図である。
【図３】本発明の第１の実施の形態に関するリモコンの概略図である。
【図４】本発明の第１の実施の形態に関するリモコンの構成概略図である。
【図５】本発明の第１の実施の形態に関するテレビ受像機のソフトウェア構成を示す概略図である。
【図６】（ａ）、（ｂ）は、本発明の第１の実施の形態に関するＣＣＤカメラ上でのリモコン信号光の輝点の軌跡とモニタ上のポインタとの関係図である。
【図７】本発明の第１の実施の形態に関するポインタ操作のフローチャートである。
【図８】本発明の第１の実施の形態に関するドラッグ操作のフローチャートである。
【図９】本発明の第２の実施の形態における、モニタ画面の構成図である。
【図１０】本発明の第２の実施の形態のポインタのスクロール動作に関するフローチャートである。
【符号の説明】
【００５９】
１０・・・テレビ受像機、２０・・・リモコン、３０・・・ソフトウェア、１００・・・本体、１０１・・・モニタ、１０２・・・ＣＣＤカメラ、１０３・・・受光部、１０４・・・ポインタ、１０５・・・アイコン、２０１・・・アンテナ、２０２・・・受信部、２０３・・・信号処理部、２０４・・・ボタン入力部、２０５・・・制御部、２０６・・・記憶部、２０７・・・映像音声処理部、２０８・・・表示部、２０９・・・音声出力部、３００・・・リモコン本体、３０１・・・送信部、３０２・・・入力ボタン群、３０２ａ・・・基本操作ボタン、３０２ｂ・・・ポインタボタン、３０２ｃ・・・ドラッグボタン、４０１・・・リモコンボタン入力部、４０２・・・リモコン制御部、４０３・・・送信部、５００Ａ・・・モード制御、５００Ｂ・・・メニュー処理、５００Ｃ・・・ポインタ、５０１・・・オペレーティングシステム、５０２・・・受信ドライバ、５０３・・・画像処理ドライバ、５０４・・・入力ドライバ、５０５・・・ＣＣＤドライバ、５０６・・・受光ドライバ、５０７・・・メディアドライバ、５０８・・・コーデックドライバ、５０９・・・出力ドライバ、９０１・・・スクロールポインタ、９０２・・・アプリケーション画面、９０３上下スクロールバー、９０４・・・左右スクロールバー、４０００・・・デバイス群、５００１・・・ドライバ群、５０００・・・アプリケーション群
【図１】
2008010984.tif 000003
【図２】
2008010984.tif 000004
【図３】
2008010984.tif 000005
【図４】
2008010984.tif 000006
【図５】
2008010984.tif 000007
【図６】
2008010984.tif 000008
【図７】
2008010984.tif 000009
【図８】
2008010984.tif 000010
【図９】
2008010984.tif 000011
【図１０】
2008010984.tif 000012